(57)【特許請求の範囲】
【請求項１】
粉体の収容容器を有し、その収容容器の下部に設置された駆動部と、その駆動部から前記収容容器内に突出された主軸と、その主軸に取り付けられた攪拌羽根と、その攪拌羽根の下方で主軸に取り付けられた供給羽根と、前記駆動部と連動される回転軸に取り付けられ、周縁に粉体の計量溝を適宜ピッチで形成した供給盤と、その供給盤の外方端下に形成された排出シュートとより構成され、前記排出シュート上には供給盤の計量溝の粉体を排出シュートに対して強制的に落下させる手段を備えている粉体の微量フィーダ装置において、前記した強制的に落下させる手段は、前記した供給盤の計量溝と噛合する突歯を周縁に備え、その供給盤と直交方向に回転するスクレーパとしたことを特徴とする粉体の微量フィーダ装置。
【請求項２】
前記したスクレーパは供給盤の回転力を駆動源とし、供給盤と同期して回転するものであることを特徴とする請求項１に記載の粉体の微量フィーダ装置。
【請求項３】
粉体の収容容器を有し、その収容容器の下部に設置された駆動部と、その駆動部から前記収容容器内に突出された主軸と、その主軸に取り付けられた攪拌羽根と、その攪拌羽根の下方で主軸に取り付けられた供給羽根と、前記駆動部と連動される回転軸に取り付けられ、周縁に粉体の計量溝を適宜ピッチで形成した供給盤と、その供給盤の外方端下に形成された排出シュートとより構成され、前記排出シュート上には供給盤の計量溝の粉体を排出シュートに対して強制的に落下させる手段を備えている粉体の微量フィーダ装置において、前記した強制的に落下させる手段は、筒体の下方開口に一部を露呈して嵌合された円弧体物とし、その円弧体物をスプリングで下方に向けて附勢したものであることを特徴とする粉体の微量フィーダ装置。
【請求項４】
前記した円弧体物はボール体であることを特徴とする請求項３に記載の粉体の微量フィーダ装置。
【発明の詳細な説明】
【技術分野】
【０００１】
本発明は粉体の微量フィーダ装置に関し、特に、物性の異なる種々の粉体に対応して、１時間あたりで１ｃｃから１０００ｃｃ程度の間の微量域で精度よく定量を搬送供給するための粉体の微量フィーダ装置に関する。
【背景技術】
【０００２】
従来、流動性が特に優れた粉体の場合を除き、粉体を微量域で精度よく定量供給していくことはその粉体の物性、例えば比重の相違、粒子、粒度の相違、水分や静電気に起因する付着性や凝集性等に影響を受けるため、非常に困難な作業となっている。
【０００３】
従来、粉体の微量フィーダとして振動フィーダ、スクリューフィーダ、テーブルフィーダが知られているが、このうち、振動フィーダは流動性の良い粉体には使用が可能であるが、適用できる粉体が限られてしまい、また、人手をもって流れを制御してやることが微量域で要求され十分なコントロールができず、ムラが生じて精度が悪くなってしまう。人手に頼らなければならないという点も大きなネックとなっている。
【０００４】
また、スクリューフィーダの場合は、横型でもオーガタイプのものであっても搬送する粉体の量が微量となると、螺旋状のスクリューの溝が幅、深さとも必然的に小さくなり、その溝に粉体の付着、固着を起こし易くなり、溝が埋まって棒状となってしまったり、逆に粉体の量が少ないため粒子同士の摩擦力が不足し、スリップしてしまい排出不能となってしまうケースが多くなる。
【０００５】
さらに、テーブルフィーダの場合は、最も有効、効果的である事が実験により解ったが、時として供給盤の計量溝に粉体が残ったまま排出しない事態や、再びそのまま容器内に戻ってきてしまうという事態が生じてしまう。ここで、エアの吹き付けで払い落とす方法も考えられるが、こうすると粉体が周囲に飛散して雰囲気を悪化させたり、機械構成部に粉体が混入して故障を生じてしまう原因となることもある。
【特許文献１】出願人は本件発明について、先行する技術文献を調査したが、格別に類似し、あるいは関連すると思われる文献は発見できなかった。
【発明の開示】
【発明が解決しようとする課題】
【０００６】
本発明が解決しようとする問題点は、粉体の微量フィーダにあって、最も有効なテーブルフィーダで、最終的に供給盤の計量溝から確実に精巧に粉体を排出部分に落下させ、計量溝に粉体が残ってしまうという事態を解決する技術が無かったという点である。
【課題を解決するための手段】
【０００７】
この問題点を解決するために、本発明に係る粉体の微量フィーダ装置は粉体の収容容器を有し、その収容容器の下部に設置された駆動部と、その駆動部から前記収容容器内に突出された主軸と、その主軸に取り付けられた攪拌羽根と、その攪拌羽根の下方で主軸に取り付けられた供給羽根と、前記駆動部と連動される回転軸に取り付けられ、周縁に粉体の計量溝を適宜ピッチで形成した供給盤と、その供給盤の外方端下に形成された排出シュートとより構成され、前記排出シュート上には供給盤の計量溝の粉体を排出シュートに対して強制的に落下させる手段を備えている粉体の微量フィーダ装置において、前記した強制的に落下させる手段は、前記した供給盤の計量溝と噛合する突歯を周縁に備え、その供給盤と直交方向に回転するスクレーパとしたことを特徴としている。
【０００８】
また、本発明に係る粉体の微量フィーダ装置は前記したスクレーパは供給盤の回転力を駆動源とし、供給盤と同期して回転するものであることを特徴としている。
【０００９】
さらに、本発明に係る粉体の微量フィーダ装置は、別の具体例として前記した強制的に落下させる手段は、筒体の下方開口に一部を露呈して嵌合された円弧体物とし、その円弧体物をスプリングで下方に向けて附勢したものであることを特徴とし、前記した円弧体物はボール体であることを特徴としている。
【発明の効果】
【００１０】
本発明に係る粉体の微量フィーダ装置は上記のように構成されている。そのため供給盤の計量溝に入って搬送されてくる粉体を回転スクレーパの突歯で押し落としたり、あるいはスプリングで附勢されている円弧体物による加振動によって精巧に排出シュート内に落下させ、排出させる事ができることとなるのである。
【発明を実施するための最良の形態】
【００１１】
図面として示し、実施例で説明したように構成することで実現した。
【実施例１】
【００１２】
次に、本発明の好ましい第一の実施例を図１乃至図６を参照して説明し、図７によって第二実施例を説明する。図１は本発明の第一実施例の機構を示す正面図、図２は同じく平面図、図３は同じく右側面図、図４は同じく要部の拡大正面図、図５は同じく拡大平面図、図６は同じく拡大右側面図である。
【００１３】
これらの図にあって１はモータを示しており、このモータ１の下方に連接された減速機１ａの軸には回転力伝達用のギア１ｂが設けられている。一方３は対象物となる粉体の収容容器であり、この収容容器３は粉体のブリッジ防止を目的としてストレートな円筒形となっているが、逆円錐状のものとすることも可能であり、ディスクフレーム１２に取り付けられた構成となっている。
【００１４】
この収容容器３の下部には駆動部２が設けられており、この駆動部２は上端を収容容器３内に突出する攪拌軸４を有し、その攪拌軸４の下方で前記したギア１ｂから回転力を伝達されこの攪拌軸４を回転させるギア４ａを備えており、このギア４ａはギア１ｂとの間に伝達ギア１ｃを介して連動されるようになっている。
【００１５】
この攪拌軸４の上方で、収容容器３内には矩形枠状をした攪拌羽根１５が取り付けられており、この攪拌羽根１５が攪拌軸４と同期して回転することで、収容容器３内にあって、粉体がブリッジや付着の現象を生じる事が無いよう常時粉体を攪拌するようになっている。さらに、攪拌羽根１５の下方には仕切板２０が取り付けられ、この仕切板２０の存在によって、一層ブリッジや付着を防止する事ができる。
【００１６】
また、攪拌軸４には後述する供給盤の計量溝内に定量の粉体を送り、供給するための供給羽根５、５‥が、攪拌軸４の接線方向に沿って複数取り付けられたものとなっている。
【００１７】
さらに、攪拌軸４には前記したギア４ａの下方に、伝動ギア４ｂが取り付けられ、この伝動ギア４ｂが上端に供給盤６を設けた回転軸１６のギア１６ａと噛合され、この回転軸１６を回転させるものとしている。
【００１８】
前記した供給盤６は円板で形成されたものとなっており、その周縁には等ピッチで計量溝６ａ、６ａ‥が形成された略平歯車状の形態をしている。前記した供給羽根５、５‥は一部がこの供給盤６の上面と摺接する構成となっており、この供給羽根５、５‥で送られた粉体が逐次供給盤６の計量溝６ａ、６ａ‥内に送られ、この計量溝６ａ、６ａ‥を粉体で埋めていくこととなる。
【００１９】
一方、図中１１は排出シュートを示し、供給盤６の計量溝６ａ、６ａ‥に入れられた粉体は順次この排出シュート１１の上方から落下させられて排出される。即ち、供給盤６の計量溝６ａ、６ａ‥のうち、一つがこの排出シュート１１の上面開口上を摺接して通過していくものとなっている。
【００２０】
また、この排出シュート１１の上方にはディスクフレーム１２にホルダー１７がネジで固着され、そのホルダー１７に周縁に突歯を等ピッチで形成した略歯車状の回転スクレーパ８が回転自在に軸支されている。この回転スクレーパ８は前記した供給盤６と直交方向に配置され、前記した突歯のピッチは供給盤６の計量溝６ａ、６ａ‥のピッチと同等のものとなっている。
【００２１】
この回転スクレーパ８は供給盤６の計量溝６ａ、６ａ‥とその突歯を噛合させることで供給盤６と同期回転するものとなっており、その突歯が計量溝６ａ、６ａ‥との噛合の際に、計量溝６ａ内に残存する粉体を排出シュート１１内へ強制的に掻き落とすこととなる。この作用によって計量溝６ａ内には粉体が残ってしまう事がなく精巧に定量を排出する事が持続できる。この作用は粉体の有する物性にかかわりなくなされるため、粉体の種類にその使用を限定されてしまうことは無くなる。
【実施例２】
【００２２】
次に、図７を参照して本願発明の第二の実施例を説明する。図７は本願発明の第二実施例を示す要部拡大正面図である。尚、この第二実施例は第一実施例と共通する部分は同一の符号を付して詳細な説明は省略する。
【００２３】
この第二実施例にあっては、排出シュート１１の上方で供給盤６の計量溝６ａが通過する位置の上部にホルダー１８がディスクフレーム１２に設けられており、このホルダー１８には少なくとも下方を開口させた筒体１９が一体に形成されている。この筒体１９の下方開口には内方へのフランジ１９ａが形成されており、このフランジ１９ａによって金属製のボール１３がその一部を外方へ露呈するようにセットされ、このボール１３は筒体１９内にあってコイルスプリング１４により、常に下方へ附勢されたものとなっている。
【００２４】
このボール１３は供給盤６の回転によって、計量溝６ａと対応するときはコイルスプリング１４の附勢力で突出され、また供給盤６の計量溝６ａを形成する突片部分ではその肉厚分がコイルスプリング１４の附勢力に抗して持ち上げられる。この動作の繰り返しによってボール１３は間欠的に計量溝６ａのパートを叩打することとなり、この衝撃と振動によって計量溝６ａ内の粉体は強制的に排出シュート１１へ落下させられることとなる。
【００２５】
なお、この第二実施例におけるボール１３はそれに代えて円柱体や円筒体を横配置にしても同様の効果が得られ、その効果は円柱体や円筒体を軸方向に沿って半割した部材によっても同様に得る事ができる。
【産業上の利用可能性】
【００２６】
本発明に係る粉体の微量フィーダ装置は上記のように構成されている。そのため、対象物が物性にとらわれない粉体となるが、必要に応じて粘性を有する土やクリーム状の液体等にも幅広く応用実施していくことも可能なものである。
【図面の簡単な説明】
【００２７】
【図１】本発明の第一実施例の機構を示す正面図である。
【図２】平面図である。
【図３】右側面図である。
【図４】要部の拡大正面図である。
【図５】拡大平面図である。
【図６】拡大右側面図である。
【図７】本願発明の第二実施例を示す要部拡大正面図である。
【符号の説明】
【００２８】
１    モータ
１ａ  減速機
１ｂ  ギア
１ｃ  ギア
２    駆動部
３    収容容器
４    攪拌軸
４ａ  ギア
４ｂ  ギア
５    供給羽根
６    供給盤
６ａ  計量溝
８    回転スクレーパ
１１  排出シュート
１２  ディスクフレーム
１３  ボール
１４  コイルスプリング
１５  攪拌羽根
１６  回転軸
１６ａ  ギア
１７  ホルダー
１８  ホルダー
１９  筒体
１９ａ  フランジ
２０  仕切板
【図１】
0005158942.tif 000002
【図２】
0005158942.tif 000003
【図３】
0005158942.tif 000004
【図４】
0005158942.tif 000005
【図５】
0005158942.tif 000006
【図６】
0005158942.tif 000007
【図７】
0005158942.tif 000008